(57)【要約】【課題】本発明は、貴重な洗面所スペースを有効に活用でき、洗面化粧台の前での、朝の貴重な時間の有効活用を可能とし、また、夜には安らぎのひと時を与えられる、ラジオ、タイマー、録音再生機能等を組み込んだ洗面  化粧台を提供することを目的とする。【解決手段】洗面化粧台に、時計と、ラジオと、予約録音をする機能を有する録音再生手段と、前記録音再生手段及び前記ラジオのオン・オフを制御するタイマー手段と、発光部と、操作用の押しボタンを組み込み、天気予報、交通情報等に関するラジオ放送や好きな音楽等を予め録音しておき、操作用の押しボタンを押すことにより、録音再生手段は一定時間、該録音された音楽等を再生し、発光部は一定時間、発光するように構成する。【選択図】図１
2007050175.tif 000002
【特許請求の範囲】
【請求項１】
洗面化粧台であって、
時計が前記洗面化粧台の適所に組み込まれた洗面  化粧台。
【請求項２】
洗面化粧台であって、
時計と、
ラジオと、
予約録音をする機能を有する録音再生手段と、
前記録音再生手段及び前記ラジオのオン・オフを制御するタイマー手段と、を有することを特徴とする洗面化粧台。
【請求項３】
前記タイマー手段は前記録音再生手段に所定の時刻に所定の動作を行わせるための情報を入力する予約入力部を備え、
前記録音再生手段は、前記予約入力部への入力に基づいて、前記ラジオの交通情報または天気予報等の番組を録音するように構成されていることを特徴とする請求項２に記載の洗面化粧台。
【請求項４】
前記タイマー手段は所定の時間だけ前記録音再生手段に再生を行わせるための情報を入力するとともに該再生を開始させる情報入力・再生 開始部を備え、
前記録音再生手段は、前記情報入力・再生開始部への入力に基づいて予め録音された音を再生するように構成されていることを特徴とする請求項３に記載の洗面化粧台。
【請求項５】
発光手段を備えて、
前記タイマー手段は前記発光手段を制御する機能を有し、
前記発光手段は、前記情報入力・再生開始部への入力に基づいて前記録音再生手段が再生を開始するのに連動して発光を開始し、時間の経過に連動して発光色を変え、前記録音再生手段が再生を終了するのに連動して発光を停止するように構成されていることを特徴とする請求項４に記載の洗面  化粧台。
【請求項６】
前記録音再生手段は所定の第１時間帯に前記情報入力・再生開始部に入力がされた場合には、予め録音された交通情報または天気予報等の番組または音声を再生するとともに、該予め録音された交通情報または天気予報等の番組または音声の再生の前または後に、所定の第１音声を再生し、所定の第２時間帯に前記情報入力・再生開始部に入力がされた場合には、予め録音された交通情報または天気予報等の番組または音声を再生するとともに、該予め録音された交通情報または天気予報等の番組または音声の再生の前または後に、所定の第２音声を再生するように構成されていることを特徴とする請求項４及び５に記載の洗面化粧台。
【請求項７】
前記録音再生手段はミニディスク録音・再生装置であることを特徴とする請求項２乃至６に記載の洗面化粧台。
【発明の詳細な説明】
【技術分野】
【０００１】
本発明は、洗面化粧台に関する。
【背景技術】
【０００２】
洗面台は、洗顔、歯磨き、化粧等を行う場合に必要な機能・ 設備を提供するものであり、従来の洗面化粧台は、鏡、洗面ボール、水栓金具、棚等により構成されているだけであり、洗面台自体の中に、ラジオ、タイマー、録音再生機能を有するものは見当たらない。
【０００３】
しかし、会社員、学生等にとっては、朝の時間は貴重であり、洗面台の前で洗顔、歯磨き、化粧等をしている時間をより有効に使いたいのが実情である。このために、洗面化粧台や、その周囲に時計や、ラジオを置いて、歯磨きや、化粧等をしながら、時刻をチェックをし、ラジオの天気予報や交通情報を聞いている場合も多い。
【０００４】
【特許文献１】特開２００３−７０６５９
【発明の開示】
【発明が解決しようとする課題】
【０００５】
しかしながら、一般的に、日本の住宅事情においては、洗面台を設置してある場所は狭く、時計やラジオ等を置く場所の確保が困難な場合が多い。また、洗顔、洗髪、化粧等には、歯ブラシ、石鹸、シャンプー、整髪料、化粧 品、等の小物が必要であり、洗面化粧台の台や棚は、これらの小物で埋まってしまっており、時計や、ラジオ等を置く余裕がないというのが一般的である。さらに、洗面ボールの周囲は水が飛び散りやすく、水に弱い時計やラジオ等の電化製品の設置場所の選択には注意が必要である。
【０００６】
また、近年の技術の進歩により、時計、ラジオ、録音再生機器の小型化、低価格化には目覚しいものがある。よって、これらの時計、ラジオ、録音再生機器等を洗面化粧台専用のものとして付加しても、従来のように高額な 費用を負担しなければならないということもない。
【０００７】
そこで、本発明は、貴重な洗面所スペースを有効に活用でき、洗面化粧台の前での、朝の貴重な時間の有効活用を可能とし、また、夜には安らぎのひと時を与えうる、ラジオ、タイマー、録音再生機能等を組み込んだ洗面  化粧台を提供することを目的とする。
【課題を解決するための手段】
【０００８】
前記目的を達成するため、請求項１に記載された発明は、洗面化粧台であって、
時計が前記洗面化粧台の適所に組み込まれていることを特徴とする。
【０００９】
また、請求項２に記載の発明は、洗面化粧台であって、
時計と、
ラジオと、
予約録音をする機能を有する録音再生手段と、
前記録音再生手段及び前記ラジオのオン・オフを制御するタイマー手段と、を有することを特徴とする。
【００１０】
また、請求項３に記載の発明は、請求項２に記載の 洗面化粧台に係り、
前記タイマー手段は前記録音再生手段に所定の時刻に所定の動作を行わせるための情報を入力する予約入力部を備え、
前記録音再生手段は、前記予約入力部への入力に基づいて、前記ラジオの交通情報または天気予報等の番組を録音するように構成されていることを特徴とする。
【００１１】
また、請求項４に記載の発明は、請求項３に記載の 洗面化粧台に係り、
前記タイマー手段は所定の時間だけ前記録音再生手段に再生を行わせるための情報を入力するとともに該再生を開始させる情報入力・再生 開始部を備え、
前記録音再生手段は、前記情報入力・再生開始部への入力に基づいて予め録音された音を再生するように構成されていることを特徴とする。
【００１２】
また、請求項５に記載の発明は、請求項４に記載の 洗面化粧台に係り、
発光手段を備えて、
前記タイマー手段は前記発光手段を制御する機能を有し、
前記発光手段は、前記情報入力・再生開始部への入力に基づいて前記録音再生手段が再生を開始するのに連動して発光を開始し、時間の経過に連動して発光色を変え、前記録音再生手段が再生を終了するのに連動して発光を停止するように構成されていることを特徴とする。
【００１３】
また、請求項６に記載の発明は、請求項４及び５に 記載の洗面化粧台に係り、
前記録音再生手段は所定の第１時間帯に前記情報入力・再生開始部に入力がされた場合には、予め録音された交通情報または天気予報等の番組または音声を再生するとともに、該予め録音された交通情報または天気予報等の番組または音声の再生の前または後に、所定の第１音声を再生し、所定の第２時間帯に前記情報入力・再生開始部に入力がされた場合には、予め録音された交通情報または天気予報等の番組または音声を再生するとともに、該予め録音された交通情報または天気予報等の番組または音声の再生の前または後に、所定の第２音声を再生するように構成されていることを特徴とする。
【００１４】
また、請求項７に記載の発明は、請求項２乃至６に 記載の洗面化粧台に係り、
前記録音再生手段はミニディスク録音・再生装置であることを特徴とする。
【発明の効果】
【００１５】
請求項１に記載の発明によれば、洗面化粧台の前で、洗顔、歯磨き、洗髪または毛染め等をしているときに、時刻を容易に確認できる。その結果、出勤前や登校前の忙しい時間帯を１分でも有効に活用できる。また、洗面化粧台の周囲に時計を設置するのに比較して、洗面化粧台の中に組み込めば、洗面化粧台に備えられている電源を利用することもでき、時計の電池切れを気にする必要もない。また洗面化粧台に組み込むことにより、別途設置するのに比較してスペースの有効利用を図ることができる。さらに、外観的にもすっきりする。
【００１６】
請求項２に記載の発明によれば、請求項１に記載の発明の効果に加えて、洗面化粧台の前で、洗顔、歯磨き、洗髪または毛染め等をしながら、出勤前や登校前の忙しい時間帯の僅かな時間を利用して、天気予報を聞いたり、渋滞等の交通情報等を聞いたりすることができ、その日を有意義に、また、快適に過ごすための情報を効率的に得ることができる。また、時間に追われない時に、毛染め等をしながら、好きな音楽を聴いてリラックスできる。また、ラジオ、MD録音再生機器等を別途設置することにくらべて、これらを洗面化粧台に組み込むことにより、狭い割には多数の小物が置かれている洗面所のスペースを有効に活用することができる。
【００１７】
請求項３に記載の発明によれば請求項２に記載の発明の効果に加えて、タイマー手段により毎朝のラジオの天気予報や交通情報を予約録音することにより、より簡易に、出勤前や登校前の忙しい時間帯の僅かな時間を利用して、天気予報を聞いたり、渋滞等の交通情報等を聞いたりすることができる。
【００１８】
請求項４に記載の発明によれば請求項３に記載の発明の効果に加えて、情報入力・再生開始部を例えば押しボタンにすることにより、単に該押しボタンを押すだけで、より簡易に、出勤前や登校前の忙しい時間帯の僅かな時間を利用して、天気予報を聞いたり、渋滞等の交通情  報等を聞いたりすることができる。音楽等を録音しておくことにより、子供が歯磨きをするときに、該押しボタンを押すと所定の時間子供が好きな歌や音楽が再生されるようにセットすることができ、子供に楽しみながら歯磨きをする習慣をつけさせるのに役に立つ。また、毛染めを行う場合においても所定の時間をより便利に、かつ快適に、費やすのに役に立つ。
【００１９】
請求項５に記載の発明によれば請求項４に記載の発明の効果に加えて、タイマー手段により録音再生手段を稼動させてからの時間の経過を耳からだけではなく、目からも視覚的にも把握することができ、より効果的である。特に幼い子供には有効である。
【００２０】
請求項６に記載の発明によれば請求項５に記載の発明の効果に加えて、第１音声を例えば「おはようございます。」と設定しておくことにより、朝の所定の時間帯に情報入力・再生開始部とした押しボタンを押すと、最初に「おはようございます。」という音声が流れ、所謂「癒し効果」を得ることもできる。夜には、第２音声として、「おやすみなさい」と設定しておくことにより、夜の所定の時間帯に押しボタンを押すと、最後に「おやすみなさい。」という音声が流れ、同様に「癒し効果」を得ることができる。
【００２１】
請求項７に記載の発明によれば請求項１乃至６に記載の発明の効果に加えて、録音再生手段の記録媒体として、 現在、広く普及し、機能の割には安価であるミニディスクを使用することにより、すでにミニディスクに録音されている音楽等を利用することができる。また、ミニディスクは大きさが小さいので録音再生手段の小型化も容易である。
【発明を実施するための最良の形態】
【００２２】
以下、図を参照しつつ、発明を実施するための最良の形態につき説明する。
【００２３】
（実施の形態）
【００２４】
図１は本発明の実施の形態に係る洗面化粧台の構成を示す斜視図である。図１において、１０１は鏡であり、１０２は時計であり、１０３はラジオであり、１０４はミニディスク録音再生手段であり、１０５はタイマー手段であり、１０６は予約入力部であり、１０７は情報入力・再生開始部であり、１０８は発光手段であり、１０９は操作レバーであり、１１１は吐水栓であり、そして１１０は洗面ボールである。
【００２５】
本発明の実施の形態に係る洗面化粧台においては、時計１０２、ラジオ１０３、ミニディスク録音再生手段１０４及びタイマー手段１０５は一体化して、洗面化粧台の鏡１０１の右下に組み込んでいる。しかし、他の実施の形態においては、一体化しないで、組み込んでも良い。また、時計１０２、ラジオ１０３、ミニディスク録音再生手段１０４及びタイマー手段１０５を組み込む場所についても、他の実施形態に係る洗面化粧台においては、洗面化粧台のタイプに合わせて、適当な位置に組み込んでも良い。時計１０２、ラジオ１０３、ミニディスク録音再生手段１０４及びタイマー 手段１０５の電源は、洗面化粧台の照明用のAC電源を利用するか、または乾電池を使用する。しかしながら、ＡＣ電源を利用すれば、電池切れの恐れも無く、いつの間にか時計が止まっているといったトラブルに遭遇することはない。以下、図１に基づいて説明する。
【００２６】
時計１０２はアナログ時計であっても、デジタル時計であってもよい。時計が洗面化粧台に組み込まれていることにより、洗面化粧台の前で、朝の出勤前等に洗顔等を行って、時間が気になるときに、時計を捜す必要もなく、朝の貴重な時間を有効に使うことが可能となる。ラジオ１０３は、タイマー手段１０５及びミニディスク録音再生手段１０４と連携して、予約入力部１０６によって予約された 時間のラジオ放送がミニディスク録音再生手段１０４によって録音されるように構成されている。ただし、ラジオ１０３自体が計時・予約機能を有して、ミニディスク 録音再生手段１０４と連携して、予約録音できるものであっても良い。本発明の実施の形態に係る洗面化粧台においては録音再生手段として、ミニディスク録音再生手段１０４を組み込んでいるが、他の実施形態に係る洗面化粧台においては録音再生手段としては、カセットテープ等を録音媒体とするものであっても、デジタルオーディオ録音再生装置であっても良い。タイマー手段１０５は情報入力・再生開始部１０７に入力されたデータに基づいて、一定時間、ミニディスク録音再生手段１０４または、ラジオ１０３を稼動させたり、発光手段１０８を発光させたりする。
【００２７】
情報入力・再生開始部１０７は情報を入力するために機能を有するとともに、ミニディスク録音再生手段１０４の稼動を開始させる機能を有する。発光手段１０８はＬＥＤランプ等により構成され、タイマー手段によって 制御され、情報入力・再生開始部１０７への入力に基づいて、ミニディスク録音再生手段１０４が音楽等を再生するとともに、発光を開始して、時間の経過とともに、 発光色を変化させる。ただし、他の実施形態においては、発光色を変化させなくてもよい。
【００２８】
次に、図２に基づいて、本発明の実施の形態に係る洗面化粧 台についての時間を有効に活用するための機能と構成について、説明する。図２は、本発明の実施の形態に係る洗面化粧台を使用して、朝、出勤前に天気予報及び／または交  通情報を聞きながら、歯を磨いている様子を示す斜視図である。天気予報及び／または交通情報は、毎朝、天気予報及び／または交通情報が放送される時刻を予約 入力部１０６に入力することにより、ラジオ１０３と、タイマー部と、ミニディスク録音再生手段１０４とが連携して、天気予報及び／または交通情報に関するラジオ放送がミニディスク録音再生手段１０４によって録音される。この録音は、情報入力・再生開始部１０７に入力があると一定時間だけミニディスク録音再生手段１０４によって再生される。最新の天気予報及び／または交通情報に関するラジオ放送が録音されるように予約録音をセットしておくことにより、常に最新の天気予報及び／または交通情報を聞くような使用をすることもできる。また、情報入力・再生開始部１０７への具体的な入力方法としては、押しボタン形式として、押す回数または、押し続けている時間によって、情報を入力する。よって、具体的には、朝、洗顔または、歯磨きを開始する際に、情報入力・再生開始部１０７であるボタンを押すと、洗顔や、歯磨きに要する一定時間に、録音されたその日の最新の天気予報や道路渋滞に関する交通情報を、ラジオの放送時間にかかわらず聞くことができ、朝の貴重な短い時間の有効活用が可能となる。
【００２９】
次に、図３に基づいて、本発明の実施の形態に係る洗面化粧 台についてのタイマー機能とリラックス効果を可能とするための機能と構成について、説明する。
図３は、本発明の実施の形態に係る洗面化粧台を使用して、毛染めをしている様子を示す斜視図である。毛染めは、洗面台の前で行うとともに、毛染めのための時間を把握し、その時間だけ待つ必要がある。この場合、情報入力・再生開始部１０７であるボタンを押すことにより、予め録音しておいた好みの音楽が所定の待ち時間だけ流れて、毛染めをしているものは、時間の経過を気にすることなく、好きな音楽等をきいて、快適な時間を過ごすことができる。
【００３０】
次に、図４に基づいて、本発明の実施の形態に係る洗面化粧 台についてのタイマー機能と教育及び／または癒し効果を発揮させるための機能と構成について、説明する。
【００３１】
図４は、本発明の実施の形態に係る洗面化粧台を使用して、夜に子供が歯磨きをしている様子を示す斜視図である。小さな子供に、夜寝る前に、歯磨きをする習慣をつけることは大切であるが、困難な場合も多い。また、有効な歯磨きは一定時間以上する必要があるが、子供にとっては、時間の経過を認識することが簡易ではない場合もある。かかる事情に対応して、本発明の実施の形態に係る洗面化粧 台では、夜子供が、歯磨きをするときに、情報入力・再生開始部１０７であるボタンを押すことにより、予め録音しておいた子供の好きな音楽が所定の待ち時間だけ流れるとともに、発光部１０８は発光を開始し、時間の経過とともに発光色を変化させて、子供に時間の経過を知らせる。また、第２音声として「よく、歯磨きができました。おやすみなさい。」と予め録音しておくことにより、子供の好きな音楽が所定の時間だけ流れた後に、「よく、歯磨きができました。おやすみなさい。」という音声が流れるように構成する。
【図面の簡単な説明】
【００３２】
【図１】本発明の実施の形態に係る洗面化粧 台の構成を示す斜視図である。
【図２】本発明の実施の形態に係る洗面化粧 台を使用して、朝、出勤前に天気予報及び／または交通情報を聞きながら、歯を磨いている様子を示す斜視図である。
【図３】本発明の実施の形態に係る洗面化粧 台を使用して、毛染めをしている様子を示す斜視図である。
【図４】本発明の実施の形態に係る洗面化粧 台を使用して、夜に子供が歯磨きをしている様子を示す斜視図である。
【符号の説明】
【００３３】
１０１      鏡
１０２      時計
１０３      ラジオ
１０４      ミニディスク録音再生手段
１０５      タイマー手段
１０６      予約入力部
１０７      情報入力・再生開始部
１０８      発光手段
１０９      操作レバー
１１０      洗面ボール
１１１      吐水栓
【図１】
2007050175.tif 000003
【図２】
2007050175.tif 000004
【図３】
2007050175.tif 000005
【図４】
2007050175.tif 000006